(57)【要約】【課題】昇降メンバを軽快に上昇させると共に、下降もスムーズに行うことができる便器上面設備を提供する。【解決手段】便座ボックス２を浮上させるに当っては、ケース３ｂに手を掛けて引き上げる。フロントベースプレート３ａ及びカバー３ｂの上昇に際しては、スライダ１２はガイド１１に沿って上昇する。このスライダ１２は定荷重バネ２７によって上方に一定の付勢力が与えられているので、上昇開始から上昇終了まで軽快にフロントベースプレート３ａ及びカバー３ｂを上昇させることができる。下降に際しても、定荷重バネ２７の上方付勢力は一定であるので、着底に到るまでスムーズに下降させることができる。【選択図】図１
2005068818.tif 000002
【特許請求の範囲】
【請求項１】
洋風便器の後部上面に設置される便器上面設備であって、
該洋風便器に固定される固定メンバと、
該固定メンバに対し昇降可能に取り付けられた昇降メンバと、
を有する便器上面設備において、
該昇降メンバを上方に付勢する定荷重バネを有することを特徴とする便器上面設備。
【請求項２】
請求項１において、該昇降メンバの昇降を案内する案内装置を備えており、前記定荷重バネは該案内装置に設けられていることを特徴とする便器上面設備。
【請求項３】
請求項２において、該案内装置は、上下方向に移動するスライダと、上下方向に延在し、該スライダが係合したガイドとを備えており、
前記定荷重バネは該スライダを上方に付勢するものであることを特徴とする便器上面設備。
【発明の詳細な説明】
【技術分野】
【０００１】
本発明は、洋風便器の後部上面に設置される便座ボックス、タンクカバー等の便器上面設備に係り、特に昇降式の便器上面設備に関する。
【背景技術】
【０００２】
洋風便器の上面に設置された便座は、便座ボックスあるいはタンクカバーなどの部材を介して洋風便器に対し俯仰方向に回動可能に取り付けられている。
【０００３】
この便座ボックス等と洋風便器上面との間に尿などの汚れが染み込んで臭気の原因となり易い。そこで、便座ボックスを洋風便器に対し上下動可能とし、洋風便器の清掃時に便座ボックスを便座と共に上方に移動（浮上）させるようにしたものが提案されている。
【０００４】
例えば、特開２００２−４３８３号公報には、前部を含む上側部分を昇降可能とした便座ボックスが記載されている。また、特開２０００−３３０５１号公報には、昇降可能なタンクカバーが記載されている。
【０００５】
この特開２０００−３３０５１号公報には、タンクカバーを上方に付勢するようにコイルスプリングを設けることが記載されている。
【特許文献１】特開２００２−４３８３号公報
【特許文献２】特開２０００−３３０５１号公報
【発明の開示】
【発明が解決しようとする課題】
【０００６】
上記の特開２０００−３３０５１号公報で採用しているコイルスプリングは、変位が増大すると反力もそれに正比例して増大する特性のものであるため、昇降メンバを下降させる場合、下降限近くなると上昇反力がかなり強くなり、昇降メンバを着底させにくくなるおそれがある。
【０００７】
本発明は、定荷重を加えるだけで昇降メンバを軽快に上昇させると共に、下降も着底に到るまでスムーズに行うことができる便器上面設備を提供することを目的とする。
【課題を解決するための手段】
【０００８】
本発明の便器上面設備は、洋風便器の後部上面に設置される便器上面設備であって、該洋風便器に固定される固定メンバと、該固定メンバに対し昇降可能に取り付けられた昇降メンバと、を有する便器上面設備において、該昇降メンバを上方に付勢する定荷重バネを有することを特徴とするものである。
【０００９】
本発明では、昇降メンバを定荷重バネにて上方に付勢しているので、該昇降メンバを昇降させる場合、一定の力を加えるだけでも昇降メンバを着底に到るまでスムーズに下降させることができる。この定荷重バネは、昇降メンバを上方に付勢するものであるから、昇降メンバを軽快に上昇させることができる。
【００１０】
本発明では、この定荷重バネは、昇降メンバの昇降を案内する案内装置に設けられることが好ましい。このように、案内装置に定荷重バネを組み込むことにより、定荷重バネを単独で便器上面設備に設けることが不要となる。
【００１１】
この案内装置は、上下方向に移動するスライダと、上下方向に延在し、該スライダが係合したガイドとを備えており、前記定荷重バネは、該スライダに連結されていることが好ましい。
【発明の効果】
【００１２】
本発明の便器上面設備によると、昇降メンバを軽快に上昇させると共に、下降もスムーズに行うことが可能となる。
【発明を実施するための最良の形態】
【００１３】
以下、図面を参照して実施の形態について説明する。
【００１４】
図１（ａ）は実施の形態に係る便器上面設備の透視斜視図であり、（ｂ）図は浮上ユニットの浮上時の斜視図である。図２は浮上ユニットの縦断面図、図３は定荷重バネの動作特性図、図４は便器上面設備を備えた洋風便器の斜視図、図５は図４の洋風便器の側面図である。
【００１５】
図４の通り、陶器製の洋風便器本体１の後部上面に便座ボックス２が昇降可能に設置されており、この便座ボックス２に便座２ａ及び便蓋２ｂが起倒方向回動可能に取り付けられている。
【００１６】
図５の通り、この実施の形態では、便座ボックス２は、前部に配置された昇降可能なフロントベースプレート３ａと、無底箱状の合成樹脂製のカバー３ｂとによって外殻が形成されている。図示は省略するが、このフロントベースプレート３ａに、人体臀部を温水で洗浄するための温水洗浄ノズル及びモータ駆動式温水切替弁装置が設置されている。また、このフロントベースプレート３ａの底面には、便座ボックス２が浮上したときにその下側領域Ｓを照らすための照明３ｃが設けられている。この照明３ｃとしてはＬＥＤが好適であるが、これに限定されない。
【００１７】
また、このフロントベースプレート３ａ上には、便座２ａ及び便蓋２ｂを開閉させる電動開閉ユニット、人体臀部に向けて温風を吹き出してその乾燥を行う温風ファン、便鉢内から臭気を含んだ空気を吸引して脱臭する脱臭ファン及び脱臭カートリッジが設けられている。カバー３ｂには、便器本体１に近づいたり着座した人体を検知するための人体検知センサが設けられている。
【００１８】
便器本体１の最後部上面には、カバー３ｂの後部側が上方から被さるようにリアベースプレート４ａが設けられている。このリアベースプレート４ａには、前記温水洗浄ノズルへ温水を供給するためのヒータ付き温水タンク４ｂ（図５にのみ図示）、便座ボックス２を押し上げたり、降下させたりする際の動きを案内させるための浮上ユニット１０のガイド１１が設置されている。また、リアベースプレート４ａには、図示はしないがヒータ及び電動ファンよりなる部屋暖房ファン、電源基板、制御回路基板、便鉢やトラップ部へ水を供給するためのバルブユニット等が設けられている。
【００１９】
この浮上ユニット１０は、フロントベースプレート３ａの後縁に固着されたスライダ１２と、該スライダ１２の昇降を案内する前記ガイド１１と、スライダ１２に対し常に一定の上向き方向の付勢力を加える定荷重バネ装置２０とを備えている。
【００２０】
ガイド１１は、後方に突出する取付片１１ａを介してリアベースプレート４ａの前部に固着されている。ガイド１１からは前方延出片１１ｂが延設されており、ガイド１１に対し前倒方向に加えられる荷重に対抗するよう構成されている。
【００２１】
図２に詳細に示されるとおり、定荷重バネ装置２０は、ガイド１１の上端面に固着されたフレーム２１と、該フレーム２１に対し支軸２２を介して回転可能に支持されたドラム体２３と、スライダ１２の上端面から立設されたブラケット２４と、該ドラム体２３に巻き付けられ、先端側が留付部材２５を介して該ブラケット２４に連結された板バネよりなる定荷重バネ２７とを有する。この定荷重バネ２７の基端側は、所定長さにわたってドラム体２３に巻き付けられており、且つこの定荷重バネ２７の基端はドラム体２３に固定されている。この定荷重バネ２７はドラム体２３に巻き付く渦巻形に賦形されており、ドラム体２３から引き出されると渦巻形に反り返って該ドラム体２３に巻き付こうとし、これによりスライダ１２に対し定荷重バネ２７から一定の上向き付勢が与えられる。なお、図３はこの定荷重バネの特性を模式的に示すものである。図示の通り、スライダ１２の昇降域では上向き付勢力は一定である。
【００２２】
上記の支軸２２はドラム体２３と一体化されている。この支軸２２の一端は、スライダ１２の下降速度を緩行させるためのロータリダンパ２８に連結されている。このロータリダンパ２８はフレーム２１に固着されている。このロータリダンパ２８は、スライダ１２が上昇するときに正転し、スライダ１２が下降するときに逆転する。この正転時には、ロータリダンパは制動を全く又は殆ど与えないが、逆転時には回転に所定の制動が加えられ、スライダ１２がゆっくりと下降するようになる。
【００２３】
なお、ガイド１１には、上昇したフロントベースプレート３ａを軽くラッチするラッチ片３１及びラッチバネ（図示略）を有したラッチユニット３０が設けられており、ケース３ｂから手を離してもフロントベースプレート３ａが下降することはないように構成されている。ラッチ片３１は、ラッチバネによってスライダ１２の進退域に突出するように付勢されている。スライダ１２にはこのラッチ片３１が係合する凹所３２が設けられている。
【００２４】
この実施の形態では、リアベースプレート４ａが固定メンバであり、フロントベースプレート３ａ及びカバー３ｂが昇降メンバである。
【００２５】
このように構成された便器上面設備を有する洋風便器においては、便座ボックス２を浮上させるに当っては、ケース３ｂに手を掛けて引き上げることにより、図５（ａ）の通り、フロントベースプレート３ａ及びカバー３ｂが上昇する。また、便座照明３ｇが点灯する。これにより、浮上した便座ボックス２の前部の下側スペース（下側領域）Ｓが照明される。このように下側領域Ｓが明るく照らされるので、該下側領域Ｓに臨む便器本体１の上面や、フロントベースプレート３ａの下面等を容易に清掃することができる。なお、フロントベースプレート３ａ及びカバー３ｂが所定高さまで上昇すると、ラッチ片３１が凹所３２に係合する。
【００２６】
この上昇に際しては、スライダ１２はガイド１１に沿って上昇するが、このスライダ１２に対し、定荷重バネ２７から所定の上向き付勢力が与えられる。このため、カバー３ｂ及びフロントベースプレート３ａは、軽く上方に引き上げ力が加えられるだけでスムーズに上昇する。しかも、この引き上げ力は、スライダ１２の高さが変化しても一定であるから、引き上げ当初から引き上げ終了に到るまで、常に便座ボックス２を軽快に上昇させることができる。なお、前記の通りロータリダンパ２８は、このスライダ１２の上昇時には制動を与えない。
【００２７】
カバー３ｂ及びフロントベースプレート３ａを下降させるには、カバー３ｂを下向きにやや力を込めて押す。これにより、ラッチユニット３０のラッチ片３１と凹所３２との係合が解除され、図５（ａ）の通り該カバー３ｂ及びフロントベースプレート３ａが下降する。
【００２８】
この下降に際しては、スライダ１１はガイド１２に沿って下降する。この場合、定荷重バネ２７がドラム体２３から巻き出され、ロータリダンパ２８が逆転するので、ドラム体２３の回転に制動が加えられる。このため、カバー３ｂ及びフロントベースプレート３ａはゆっくりと下降するようになる。
【００２９】
この下降に際しては、定荷重バネ２７の上方付勢力は常に一定であるので、着底に到るまでスムーズに下降させることができる。
【００３０】
上記実施の形態では、定荷重バネ２７によってスライダ１２を引き上げるように付勢しているが、スライダ１２を押し上げるように定荷重バネを設けてもよい。
【００３１】
上記実施の形態では便器上面設備は便座ボックスであるが、タンクカバーであってもよい。便座ボックスやタンクカバーの形状、大きさは特に限定されるものではない。便座ボックスやタンクカバーは、前部のみが昇降するものであってもよく、前部から後部も含めて昇降するものであってもよい。
【００３２】
上記実施の形態では、ロータリダンパによって下降速度を緩速化させているが、他のダンパ機構等の緩速化装置を採用してもよい。
【図面の簡単な説明】
【００３３】
【図１】図１（ａ）は実施の形態に係る便器上面設備の透視斜視図であり、（ｂ）図は浮上ユニットの浮上時の斜視図である。
【図２】浮上ユニットの降下時の縦断面図である。
【図３】定荷重バネの特性図である。
【図４】実施の形態に係る便器上面設備を備えた洋風便器の斜視図である。
【図５】図４の洋風便器の側面図である。
【符号の説明】
【００３４】
２  便座ボックス
３ａ  フロントベースプレート
３ｂ  （便座ボックスの）カバー
１０  浮上ユニット
１１  ガイド
１１ｃ  天板
１２  スライダ
２０  定荷重バネ装置
２３  ドラム体
２７  定荷重バネ
２８  ロータリダンパ
【図１】
2005068818.tif 000003
【図２】
2005068818.tif 000004
【図３】
2005068818.tif 000005
【図４】
2005068818.tif 000006
【図５】
2005068818.tif 000007